(57)【要約】      （修正有）【課題】一回で素早く患者の各種データを記録し、患者の口腔への装着における適合性を正確に判断することにより、義歯製作の誤差を減らすことが出来る、総義歯口腔再建装置を提供する。【解決手段】患者に印象用トレーを噛ませて歯床の静的印象を得るとともに、第一記録装置Ｂを噛ませて噛合せの高さ・顔面正中線・噛合せ水平線・両眼瞳孔の水平接続線・鼻翼耳孔水平線を記録することにより、顎顔面口腔再建のためのデータを得る。また、患者に第二記録装置Ｃを噛ませることで、患者の咀嚼や話すときの顔の運動状況を記録して、患者の上顎と下顎の運動データを得ることにより、歯科技師に義歯製作のための正確なデータを提供する。【選択図】図８
0003198037.tif 000002
【実用新案登録請求の範囲】
【請求項１】
選択的に患者の口腔内に設けられる第一記録装置によってなる、総義歯口腔再建装置であって、
前記第一記録装置は、患者に噛ませることで、患者の噛合せの高さ・顔面正中線・噛合せ水平線・両眼瞳孔の水平接続線・鼻翼耳孔水平線を素早く記録するとともに、顎顔面口腔再建の重要参考データを得るために用いられ、
更に、前記第一記録装置は、縦棒と、第一水平棒と、咬合器と、第二水平棒と、第三水平棒とからなり、
前記縦棒には、垂直状のスライド溝と差込用ブロックが設けられ、
前記差込用ブロックは、水平状の調整溝を有し、
前記第一水平棒は、前記調整溝に螺合され、
前記咬合器は、水平状の平板を有し、
前記平板一側の頂・底面には、それぞれ弧状の上垂直片と下垂直片が設けられ、
前記平板は、前記第一水平棒と螺合され、
前記第二水平棒と前記第三水平棒は、それぞれ前記縦棒の前記スライド溝に螺合されることを特徴とする、総義歯口腔再建装置。
【請求項２】
更に、前記第一記録装置には、第二記録装置が設けられ、
前記第二記録装置は、弧状の上台座と、一端に接続部を有する上描写板と、弧状の下台座と、下描写板とからなり、
前記上台座の底面には、前記上描写板が設けられ、
前記下台座の頂面には、前記下描写板が設けられ、
前記下描写板と前記上描写板は、ぴったりと貼合され、
前記上台座・前記上描写板・前記下台座・前記下描写板は、複数の螺合部品が貫設されることにより、螺合されて固定され、
前記接続部は、前記調整溝に貫設され、
以上の構造により、
前記第二記録装置を選択的に患者の口腔に設けて上顎と下顎で噛合せることで、
患者の咀嚼や話す時の顔の運動状況を素早く記録し、金属目盛によって記録することで、患者の口腔における上・下顎の前後・左右・上下の運動データを得て、歯科技師が義歯を製作するための正確なデータを提供することを特徴とする、請求項１に記載の総義歯口腔再建装置。
【請求項３】
更に、前記総義歯口腔再建装置には、義歯製作の基礎となる静的印象を得るための印象用トレーが設けられ、
前記印象用トレーは、患者の歯床の静的印象を得るために、選択的に患者の口腔に設けられるとともに上顎と下顎によって噛合せられ、
更に、前記印象用トレーは、上型部品と、下型部品とからなり、
前記上型部品の前側には、上顎前歯エリアが設けられ、
前記上顎前歯エリアの頂面には、板体が設けられ、
前記板体と前記上顎前歯エリアが連結される位置には、弧状の延伸片が上向きに延伸して設けられ、
前記板体の両側には、それぞれ前記延伸片と一体成型された羽状部が設けられ、
前記板体の中央の位置には、患者の上顎と当接するためのアーチ状部が設けられ、
前記下型部品の前側には、下顎前歯エリアが設けられ、
前記下顎前歯エリアの両側には、それぞれ弧状の頬歯床部が設けられ、
前記頬歯床部の底面には、それぞれ患者の下顎と当接するための凹部が設けられ、
前記下顎前歯エリア頂面と前記上顎前歯エリア底面は、患者の口腔内で噛合わされた時、揃い合うように設けられることを特徴とする、請求項２に記載の総義歯口腔再建装置。
【請求項４】
前記延伸片の中央の位置には、前庭凹部が設けられることを特徴とする、請求項３に記載の総義歯口腔再建装置。
【請求項５】
二つの前記羽状部は、それぞれ中間の位置に、頬側凹部が設けられることを特徴とする、請求項３に記載の総義歯口腔再建装置。
【請求項６】
二つの前記羽状部は、所定の位置に、複数の穴が設けられることを特徴とする、請求項３に記載の総義歯口腔再建装置。
【請求項７】
前記アーチ状部には、複数の排気口が設けられることを特徴とする、請求項３に記載の総義歯口腔再建装置。
【請求項８】
前記頬歯床部には、少なくとも一つの排気口が設けられることを特徴とする、請求項３に記載の総義歯口腔再建装置。
【請求項９】
前記上顎前歯エリアと前記下顎前歯エリアの中間にあたる位置には、目盛線が設けられ、
前記目盛線は、縦軸目盛線と、前記縦軸目盛線と垂直を呈する複数の水平目盛線とからなることを特徴とする、請求項３に記載の総義歯口腔再建装置。
【考案の詳細な説明】
【技術分野】
【０００１】
本考案は、総義歯口腔再建装置に関し、特に一度で素早く患者の各種データを記録するとともに、患者の口腔への装着における適合度を正確に判断し、義歯製作における誤差を減らすことができる、総義歯口腔再建装置に関する。
【背景技術】
【０００２】
全ての歯が抜けてしまった場合、或いは、薬物治療・予期せぬ委縮・病気・加齢に伴う磨耗等の原因によって抜歯しなければならない場合、一般的には代替として総義歯を入れることになる。総義歯で最もよく見られる形態は、取外し式の義歯である。取外し式の義歯は、通常、一組の上顎義歯と下顎義歯からなるとともに、総義歯のサイズと形状を調整した後、患者の上・下顎の軟組織に装着されることにより、口腔内の歯の機能を再建する。更に、昨今における材料の進歩により、義歯はより強固・丈夫で、外観も自然になっており、義歯構造の発展によって患者の快適度と咀嚼効率も改善されている。
【０００３】
しかし、義歯の製作は、従来の義歯製造装置を用いて患者個人の歯列弓の形状を把握した上で、患者個人の歯列弓の形状に応じた仕様で製作する必要があるため、大量生産することができない。加えて、生産過程において、患者と歯科医師の間で何度も臨床治療を行うことが多いため、製作に時間がかかり、患者は義歯製造の間における不便さを我慢しなければならない。また、一旦義歯が出来上がった後も、患者は上下顎の噛合せの調整や、臨床と歯科技術との誤差修正（模型処理のミスを含む）を経なければならない。このように、義歯製作に要する時間や運送コストが増加するだけでなく、義歯装着の適応期間において患者の不快感を招いてしまう。
【考案の概要】
【考案が解決しようとする課題】
【０００４】
そこで本考案は、上・下顎の歯列弓の型取りを正確且つ素早く行うとともに、患者口腔への装着における適合度を正確に判断する、総義歯口腔再建装置を提供することを目的とする。
【０００５】
また本考案は、一回目の印象の後に顎顔面の噛合せを記録するとともに、口腔外の咬合器で正確なパラメーターを統合した後、患者に対して二回目の印象と噛合せ運動の動的記録を行い、更に統計学によって一回目と二回目の記録操作における誤差範囲を縮小した上で全口腔再建の総義歯を製作することが出来る、総義歯口腔再建装置を提供することを目的とする。
【０００６】
また本考案は、患者の人中線と雙唇を印をつけて記録することにより、全口腔再建における対称的な外観と言う視覚的な美化効果を得ることが出来る、総義歯口腔再建装置を提供することを目的とする。
【０００７】
また本考案は、義歯製作における誤差を減らして、歯の無い患者の顎顔面口腔を再建することにより、より望ましい咀嚼運動機能と快適な装着感を備えることが出来る、総義歯口腔再建装置を提供することを目的とする。
【０００８】
また本考案は、一度で素早く患者の噛合せの高さ・顔面正中線・噛合せ水平線・両眼瞳孔の接続線・鼻翼耳孔線を記録して、顎顔面口腔再建の重要参考データを得ることが出来る、総義歯口腔再建装置を提供することを目的とする。
【０００９】
また本考案は、患者の咀嚼や話す時の顔の運動状況を、金属目盛によって記録し、患者の口腔における前後・左右・上下等の上・下顎の運動データを得ることにより、義歯製作の正確なデータを歯科技師に提供することが出来る、総義歯口腔再建装置を提供することを目的とする。
【課題を解決するための手段】
【００１０】
上述の目的を達成するために、本考案は、義歯製作の基礎となる静的印象を行うための印象用トレーと、第一記録装置と、第二記録装置とからなる。このうち、印象用トレーは、上型部品と、下型部品とからなる。上型部品の前側には、上顎前歯エリアが設けられ、上顎前歯エリアの頂面には、板体が設けられる。更に、板体と上顎前歯エリアが連結される位置には、上向きに延伸した弧状の延伸片が設けられ、延伸片の中央の位置には、前庭凹部が設けられる。また、板体の両側には、それぞれ延伸片と一体になった羽状部が設けられる。羽状部の中央に近い位置には、それぞれ頬側凹部が設けられ、更に羽状部における所定の位置には複数の穴が設けられる。板体の中央の位置には、患者の上顎に当接するためのアーチ状部が設けられ、アーチ状部は複数の排気口を有する。また、下型部品の前側には、下顎前歯エリアが設けられ、下顎前歯エリアの両側には、それぞれ弧状の頬歯床部が設けられる。頬歯床部は、少なくとも一つの排気口を有するとともに、頬歯床部の底面には、それぞれ患者の下顎に当接するための凹部が設けられる。この他、上顎前歯エリアと下顎前歯エリアの中間にあたる位置には、目盛線が設けられる。前記目盛線は、縦軸目盛線と、縦軸目盛線と垂直を呈した複数の水平目盛線とからなる。以上の構造により、患者が印象用トレーを口に入れて噛合せることで、前記下顎前歯エリア頂面と前記上型部品の上顎前歯エリア底面が揃え合わされる。
【００１１】
第一記録装置は、縦棒と、第一水平棒と、咬合器と、第二水平棒と、第三水平棒とからなる。縦棒には、垂直状のスライド溝と差込用ブロックが設けられ、差込用ブロックは水平状の調整溝を有する。第一水平棒は、縦棒の差込用ブロックにおける調整溝に螺合される。咬合器は、水平状の平板を有するとともに、平板一側の頂・底面にはそれぞれ弧状の上垂直片・下垂直片が設けられ、且つ平板は第一水平棒に螺合される。また、第二水平棒と第三水平棒は、それぞれ縦棒のスライド溝に螺合される。
【００１２】
第二記録装置は、弧状の上台座と、一端に接続部を有する上描写板と、弧状の下台座と、下描写板とからなる。また、上台座の底面には上描写板が取付けられ、下台座の頂面には下描写板が取付けられる。下描写板と上描写板は、ぴったりと貼合され、更に、複数の螺合部品が貫設されて、上台座・上描写板・下台座・下描写板が螺合固定される。また、上描写板の接続部には、位置決め切欠が設けられる。尚、上台座と下台座は、アクリル樹脂素材からなる。
【００１３】
本考案を使用する時は、まず印象用トレーに印象材を充填した後、患者の上顎と下顎に装着して、患者が噛合せることで、歯床の静的印象を行う。また、患者が第一記録装置を噛むことで、患者の噛合せの高さ・顔面正中線・噛合せ水平線・両眼瞳孔の水平接続線・鼻翼耳孔水平線を素早く記録し、顎顔面口腔再建の重要参考データを得る。次に、患者が第二記録装置を噛むことで、患者の咀嚼や話す時の顔の運動状況を素早く記録するとともに、金属目盛によって記録することで、患者の口腔における前後・左右・上下等の上・下顎の運動データを得られる。以上により、義歯製作のための正確なデータを歯科技師に提供することが出来る。
【考案の効果】
【００１４】
以上の構造によってなる本考案は、従来の義歯製作装置における問題、即ち、製作時間が長く患者が不便であり、完成後の適応と誤差修正のために製作時間や運送コストが増加し、適応期間において患者の不快感を招くといった点を解消し、一回で素早く患者の各種データを記録し、患者の口腔への装着における適合性を正確に判断することにより、義歯製作の誤差を減らすという実用進歩性を達成できる。
【図面の簡単な説明】
【００１５】
【図１】本考案の印象用トレーを示した斜視分解図である。
【図２】本考案の印象用トレーを示した斜視組立図１である。
【図３】本考案の印象用トレーを示した斜視組立図２である。
【図４】本考案の印象用トレーの装着を示した概略図である。
【図５】本考案の第一記録装置の組合せを示した概略図である。
【図６】本考案の第一記録装置の組合せを示した正面図である。
【図７】本考案の第二記録装置を示した斜視組立図である。
【図８】本考案の第二記録装置の組合せを示した概略図である。
【考案を実施するための形態】
【００１６】
図１〜図８を参照する。本考案は、印象用トレーＡと、第一記録装置Ｂと、第二記録装置Ｃとからなる。このうち、印象用トレーＡは、上型部品１０と、下型部品２０とからなる。上型部品１０の前側には、上顎前歯エリア１１が設けられ、上顎前歯エリア１１頂面には板体１２が設けられる。更に、板体１２と上顎前歯エリア１１が連結される位置には、上向きに延伸した弧状の延伸片１３が設けられ、延伸片１３の中央の位置には、前庭凹部１３１が設けられる。また、板体１２の両側には、それぞれ延伸片１３と一体になった羽状部１４が設けられる。二つの羽状部１４の中央に近い位置には、それぞれ頬側凹部１４１が設けられるとともに、二つの羽状部１４における所定の位置には、複数の穴１４２が設けられる。板体１２の中央の位置には、患者の上顎に当接するためのアーチ状部１５が設けられ、アーチ状部１５は複数の排気口１５１を有する。
【００１７】
下型部品２０の前側には、下顎前歯エリア２１が設けられ、下顎前歯エリア２１の両側には、それぞれ弧状の頬歯床部２２が設けられる。また頬歯床部２２の底面には、それぞれ患者の下顎に当接するための凹部（図示せず）が設けられる。更に頬歯床部２２は、少なくとも一つの排気口２２１を有する。以上によってなる印象用トレーＡを、患者が噛合せることで、下顎前歯エリア２１頂面と上型部品１０の上顎前歯エリア１１底面が揃え合わされる。この他、上顎前歯エリア１１と下顎前歯エリア２１の中間にあたる位置には、目盛線Ｌが設けられる。目盛線Ｌは、縦軸目盛線Ｌ１と、縦軸目盛線Ｌ１と垂直を呈した複数の水平目盛線Ｌ２とからなる。
【００１８】
第一記録装置Ｂは、縦棒３０と、第一水平棒４０と、咬合器５０と、第二水平棒６０と、第三水平棒７０とからなる。縦棒３０には、垂直状のスライド溝３１と差込用ブロック３２が設けられ、更に差込用ブロック３２は水平状の調整溝（図示せず）を有する。第一水平棒４０は、縦棒３０の差込用ブロック３２における調整溝に螺合される。咬合器５０は、水平状の平板５１を有する。更に平板５１一側の頂・底面には、それぞれ弧状の上垂直片５２・下垂直片５３が設けられるとともに、平板５１は第一水平棒４０に螺合される。また、第二水平棒６０と第三水平棒７０は、それぞれ縦棒３０のスライド溝３１に螺合される。
【００１９】
第二記録装置Ｃは、弧状の上台座Ｃ１と、一端に接続部Ｃ２１を有する上描写板Ｃ２と、弧状の下台座Ｃ３と、下描写板Ｃ４とからなる。上描写板Ｃ２の接続部Ｃ２１には、位置決め切欠Ｃ２２が設けられる。また、上台座Ｃ１と下台座Ｃ３は、アクリル樹脂素材からなる。上台座Ｃ１の底面には上描写板Ｃ２が取付けられ、下台座Ｃ３の頂面には下描写板Ｃ４が取付けられるとともに、下描写板Ｃ４と上描写板Ｃ２は、ぴったりと貼合される。更に、複数の螺合部品（図示せず）が貫設されることにより、上台座Ｃ１・上描写板Ｃ２・下台座Ｃ３・下描写板Ｃ４は、螺合されて固定される。
【００２０】
本考案を利用して総義歯を製作する時は、まず予め、印象用トレーＡの上型部品１０頂面と下型部品２０底面に、それぞれ印象材を充填してから、患者の上顎と下顎に装着して、患者が噛合せることにより歯床の静的印象を行う。このように、一回目の印象と診断を行うことで、患者の歯床のサイズや形態を分類し、個人にカスタマイズされたトレーを製作するための基礎とすることができる。
【００２１】
同時に、上型部品１０前側の上顎前歯エリア１１が補助することで歯の無い患者の上唇が隆起状に再建されるとともに、二つの羽状部１４における頬側凹部１４１によって両頬の外観がしっかりと再建され、且つアーチ状部１５と排気口１５１が板体１２をしっかりと患者の上顎に貼り付かせる。また、下型部品２０前側の下顎前歯エリア２１が補助することで歯の無い患者の下唇が隆起状に再建されるとともに、頬歯床部２２によって両頬の外観がしっかりと再建されることにより、装着時の快適度が向上する。更に、患者が噛合せることで、下顎前歯エリア２１頂面と上顎前歯エリア１１底面が揃え合わされるため、上顎と下顎の噛合せが正確になり、且つ印象採得を素早く行うことが出来る。加えて、患者の口腔への装着適合度を正確に判断して、義歯製作における誤差をなくすことが出来る。以上により、歯の無い患者の顔面口腔、及び唇や頬の外観を再建するとともに、より望ましい咀嚼運動の機能と、正確な発音の機能、装着時の高い快適度を提供する。
【００２２】
この他、目盛線Ｌの縦軸目盛線Ｌ１と複数の水平目盛線Ｌ２を用いて、患者の正中線と両唇を記して記録することにより、全口腔再建における対称的な外観という視覚的な美化効果を達成することが出来る。
【００２３】
続いて、第一記録装置Ｂを患者に噛ませて、患者が上顎牙歯と下顎牙歯によって咬合器５０を噛み合わせるようにする。第二水平棒６０と第三水平棒７０は、それぞれスライド溝３１に螺合されているため、別々にスライド溝３１上で上下に動かし、水平高度の位置調整を行うことが出来る。よって、患者の噛合せの高さ・顔面正中線・噛合せ水平線・両眼瞳孔の接続線・鼻翼耳孔線に応じて、第一水平棒４０・第二水平棒６０・第三水平棒７０の水平高度・左右位置・角度を適切に調整し、簡単且つ便利な方法で全体の調整を行うことが出来る。以上のように、患者が第一記録装置Ｂを一回噛むことで、患者の噛合せの高さ・顔面正中線・噛合せ水平線・両眼瞳孔の水平接続線・鼻翼耳孔水平線（参考線）を素早く記録することができる。加えて、一回で正確に口外の噛合せ記録器に情報を写し取り、後続のデータ整理と総義歯の製作を行うことが出来る。このように、複数に分散して統合時の誤差を招くこともなく、効果的且つ正確に、顎顔面口腔再建のための重要参考データを提供することが出来る。
【００２４】
最後に、第二記録装置Ｃの上描写板Ｃ２に、石膏作業用模型で作られた厚さ約２ｍｍの上歯床樹脂と下歯床樹脂を入れてから、患者に噛ませる。同時に、上描写板Ｃ２の接続部Ｃ２１を縦棒３０の調整溝に差込み、第一記録装置Ｂが記録した顎顔面口腔再建の需要参考データを参照しつつ、患者に第二記録装置Ｃを噛ませる。これにより、患者にとって正確且つ理想的な噛合せの高さにおいて、歯床が患者の噛む力を受けて、動的運動を記録することが出来る。また動的運動の記録は、患者の口腔内において下顎が反復運動する際の前突運動・左右の横向き運動、及び最後に元の位置に戻った時の静的位置を含み、これらの交点によって正中位置を定める。以上により、患者の咀嚼や話す時の顔の運動状況を素早く記録するとともに、金属目盛によって記録することで、患者の口腔における前後・左右・上下等の上・下顎の運動データを得られるため、義歯を製作するための正確なデータを歯科技師に提供することが出来る。
【符号の説明】
【００２５】
Ａ            印象用トレー
１０   上型部品
１１   上顎前歯エリア
１２   板体
１３   延伸片
１３１ 前庭凹部
１４   羽状部
１４１ 頬側凹部
１４２ 穴
１５   アーチ状部
１５１ 排気口
２０   下型部品
２１   下顎前歯エリア
２２   頬歯床部
２２１ 排気口
Ｂ            第一記録装置
３０   縦棒
３１   スライド溝
３２   差込用ブロック
４０   第一水平棒
５０   咬合器
５１   平板
５２   上垂直片
５３   下垂直片
６０   第二水平棒
７０   第三水平棒
Ｃ            第二記録装置
Ｃ１   上台座
Ｃ２   上描写板
Ｃ２１ 接続部
Ｃ２２ 位置決め切欠
Ｃ３   下台座
Ｃ４   下描写板
Ｌ            目盛線
Ｌ１   縦軸目盛線
Ｌ２   水平目盛線
【図１】
0003198037.tif 000003
【図２】
0003198037.tif 000004
【図３】
0003198037.tif 000005
【図４】
0003198037.tif 000006
【図５】
0003198037.tif 000007
【図６】
0003198037.tif 000008
【図７】
0003198037.tif 000009
【図８】
0003198037.tif 000010